(57)【要約】【課題】既存のセンサ付でない一般照明器具のソケットと交換するだけで、センサの検出出力に応答して照明用ランプが点灯制御される照明器具を得ることができるようにする。【解決手段】センサ付ソケット４は、給電ラインであるランプ線４１を経由して器具本体２の点灯回路２１から照明用ランプである放電灯３に電源を供給する。センサ付ソケット４は、放電灯３の点灯制御用のセンサである人検知センサ４３と、ランプ線４１を接続／切断する双方向スイッチ４２と、人検知センサ４３の検出情報に基いて双方向スイッチ４２を開閉制御する制御回路部４４とを備える。センサ付ソケット４は、センサ付でない一般照明器具のソケットと交換して取付けられ、これにより、人検知センサ４３の検出情報に応答して放電灯３が点灯、消灯される照明器具１が得られる。【選択図】図１
2008181769.tif 000002
【特許請求の範囲】
【請求項１】
照明用ランプと、外部電源より電源が供給され、前記照明用ランプを点灯させる点灯回路と、前記照明用ランプに電源を供給するソケットと、を備えた照明器具において、
前記ソケットに、前記照明用ランプを点灯制御するための点灯制御情報を検出するセンサと、前記点灯回路から前記照明用ランプに電源を供給する給電ラインを接続／切断するスイッチと、前記センサの検出情報に基いて前記スイッチを開閉制御する制御部と、を備えたことを特徴とするセンサ付ソケット。
【請求項２】
前記制御部へ給電する電池をさらに備えたことを特徴とする請求項１に記載のセンサ付ソケット。
【請求項３】
前記電池が太陽電池であることを特徴とする請求項２に記載のセンサ付ソケット。
【請求項４】
請求項１乃至請求項３のいずれか一項に記載のセンサ付ソケットを備えたことを特徴とする照明器具。
【発明の詳細な説明】
【技術分野】
【０００１】
本発明は、点灯制御用のセンサを有するセンサ付ソケット及びこれを備えた照明器具に関するものである。
【背景技術】
【０００２】
従来から、例えば住宅等の居室内を照明する一般照明器具は、図８に示す構成のものが知られている。一般照明器具１１０は、器具本体１１１と、器具本体１１１からの電源供給を受けて点灯する照明用ランプである放電灯１１２と、器具本体１１１に保持され、放電灯１１２が装着されるソケット１１３とにより構成されている。器具本体１１１には、放電灯１１２に電源を供給するための点灯回路（一般型安定器）１１４が設けられている。点灯回路１１４は、商用電源１１５などの外部電源から供給される電源により、給電ラインであるランプ線１１６を経由して、ソケット１１３に装着される放電灯１１２に電源を供給するようになっている。点灯回路１１４は、ランプ線１１６が切断されると、自身の発振を停止して、放電灯１１２を消灯させ、ランプ線１１６が切断状態から復旧して接続されると、自身の発振を再開して、放電灯１１２を点灯させる機能を有している。
【０００３】
また、明るさセンサや人検知センサなどの点灯制御用のセンサを取り付けて省エネルギー化を実現するようにしたセンサ付照明器具が広く普及している。このようなセンサ付照明器具は、例えば、図９（ａ）（ｂ）（ｃ）に示す構成のものや、図１０（ａ）（ｂ）（ｃ）に示す構成のものが知られている。図９（ａ）（ｂ）（ｃ）に示すセンサ付照明器具１２０は、上記図８の一般照明器具１１０の構成に加え、器具本体１１１に、点灯制御用のセンサ１１８と、点灯制御用のセンサ１１８のセンサ検知情報を基に点灯回路１１４を制御する制御回路部１１９とが設けられている。また、図１０（ａ）（ｂ）（ｃ）に示すセンサ付照明器具１３０は、上記図８の一般照明器具１１０の構成に加え、ソケット１１３に、点灯制御用のセンサ１１８が設けられ、器具本体１１１に、点灯制御用のセンサ１１８のセンサ検知情報を基に点灯回路１１４を制御する制御回路部１１９が設けられている。いずれのセンサ付照明器具１２０、１３０においても、センサ１１８と制御回路部１１９との間には、制御電源用、ＧＮＤ用、センサ信号用の配線１４１が施されており、制御回路部１１９と点灯回路１１４との間には、ＰＷＭ信号などの制御信号用の配線１４２が施されている。このようなセンサ付照明器具１２０、１３０は、センサ１１８による周囲の明るさや人の在／不在といったセンサ検知情報を基に、制御回路部１１９により点灯回路１１４を制御して放電灯１１２を点灯制御することにより、省エネルギー化を実現している。
【０００４】
しかしながら、これらのセンサ付照明器具１２０、１３０は、器具本体１１１に点灯回路１１４を制御する制御回路部１１９が設けられているため、例えばリニューアル市場において、センサ付でない一般照明器具１１０に点灯制御用のセンサ１１８及び制御回路部１１９を取り付けてセンサ付照明器具１２０、１３０に置き換えようとした場合、以下のような課題が考えられる。
（１）照明器具毎に別段のセンサ１１８及び制御回路部１１９の設置工事が必要となる。
（２）センサ１１８と制御回路部１１９との配線長が照明器具毎に異なり、ノイズの影響でセンサ１１８が誤検知する可能性がある。
【０００５】
そこで、点灯制御用のセンサと点灯制御用のセンサのセンサ検知情報を基に放電灯を点灯、消灯させる制御回路部とを備えたソケットが知られている（例えば特許文献１及び特許文献２参照）。この特許文献１及び特許文献２に記載のソケットを用いれば、センサ付でない一般照明器具のソケットを交換することにより、センサ付でない一般照明器具に点灯制御用のセンサ及び制御回路部を設置することができる。
【特許文献１】特開平１１−７３８１３号公報
【特許文献２】特開平１１−２５７４７号公報
【発明の開示】
【発明が解決しようとする課題】
【０００６】
しかしながら、上述した特許文献１及び特許文献２に記載のソケットは、放電灯を点灯、消灯するためにランプ線を接続／切断する構成については、何等開示されていない。つまり、センサ付でない一般照明器具のソケットを特許文献１及び特許文献２に記載のソケットに交換しただけでは、点灯制御用のセンサ及び制御回路部を有する照明器具を得ることはできるものの、点灯制御用のセンサの検出出力に応答して放電灯が点灯、消灯制御される照明器具を得ることはできない。ソケットを交換するだけで、センサの検出出力に応答して放電灯が点灯制御される照明器具を得るには、センサの検出出力に応答してランプ線を接続／切断する構成についても考慮する必要がある。
【０００７】
本発明は、上記課題を解決するためになされたものであり、既存のセンサ付でない一般照明器具のソケットと交換するだけで、点灯制御用のセンサの検出出力に応答して照明用ランプが点灯制御される照明器具を得ることができるセンサ付ソケット及びこれを備えた照明器具を提供することを目的とする。
【課題を解決するための手段】
【０００８】
上記目的を達成するために請求項１の発明は、照明用ランプと、外部電源より電源が供給され、照明用ランプを点灯させる点灯回路と、照明用ランプに電源を供給するソケットと、を備えた照明器具において、ソケットに、照明用ランプを点灯制御するための点灯制御情報を検出するセンサと、点灯回路から照明用ランプに電源を供給する給電ラインを接続／切断するスイッチと、センサの検出情報に基いてスイッチを開閉制御する制御部と、を備えたセンサ付ソケットである。
【０００９】
請求項２の発明は、請求項１に記載のセンサ付ソケットにおいて、制御部へ給電する電池をさらに備えたものである。
【００１０】
請求項３の発明は、請求項２に記載のセンサ付ソケットにおいて、電池が太陽電池であるものである。
【００１１】
請求項４の発明は、請求項１乃至請求項３のいずれか一項に記載のセンサ付ソケットを備えた照明器具である。
【発明の効果】
【００１２】
請求項１の発明によれば、照明用ランプの点灯、消灯を司る制御部、センサ、及びスイッチが全てソケットに備えられているので、既存のセンサ付でない一般照明器具のソケットと交換するだけで、センサの検出出力に応答して照明用ランプが点灯、消灯制御される照明器具を得ることができる。
【００１３】
請求項２の発明によれば、制御部へ給電するための配線が不要となる。
【００１４】
請求項３の発明によれば、照明用ランプからの漏洩光を太陽電池の充電に有効活用でき、電池交換が不要となる。
【００１５】
請求項４の発明によれば、既存のセンサ付でない一般照明器具のソケットと交換するだけで、センサの検出出力に応答して照明用ランプが点灯、消灯制御される照明器具を得ることができる。
【発明を実施するための最良の形態】
【００１６】
以下、本発明を具体化した実施形態によるセンサ付ソケットを備えた照明器具について図面を参照して説明する。
＜第１の実施形態＞
図１は、第１の実施形態に係るセンサ付ソケットを備えた照明器具の構成を示す。照明器具１は、器具本体２と、器具本体２からの電源供給を受けて点灯する照明用ランプである放電灯３と、器具本体２に保持され、放電灯３が装着されるセンサ付ソケット４とを備えている。
【００１７】
器具本体２は、従来のセンサ付でない一般照明器具のもの（図８の器具本体１１１と同じもの）である。すなわち、器具本体２は、従来の一般照明器具と同様に、放電灯３に電源を供給するための点灯回路（一般型安定器）２１を備えている。
【００１８】
センサ付ソケット４は、放電灯３に電源を供給する給電ラインであるランプ線４１と、ランプ線４１を接続／切断するトライアックなどの双方向スイッチ４２と、放電灯３を点灯制御するための点灯制御情報を検出するセンサである人検知センサ４３と、放電灯３を点灯制御する制御部である制御回路部４４と、制御回路部４４に給電する電源回路４５とを備えている。センサ付ソケット４は、器具本体２に取り付けることにより、人検知センサ４３のセンサ出力に応答して放電灯３が点灯、消灯制御される照明器具１を提供するものである。
【００１９】
センサ付ソケット４は、例えば、リニューアル工事時に、従来のセンサ付でない一般照明器具のソケット（すなわち図８のソケット１１３）と交換して取り付けられる。センサ付ソケット４の交換作業は、リニューアル工事における通常の施工によって行われる。センサ付ソケット４のランプ線４１は、器具本体２の点灯回路２１に接続される。
【００２０】
器具本体２の点灯回路２１は、従来の一般照明器具と同様に、商用電源５などの外部電源から供給される電源により、ランプ線４１を経由して、センサ付ソケット４に装着される放電灯３に電源を供給する。また、点灯回路２１は、従来の一般照明器具と同様に、ランプ線４１が切断されると、自身の発振を停止して、放電灯３を消灯させ、ランプ線４１が切断状態から復旧して接続されると、自身の発振を再開して、放電灯３を点灯させる。
【００２１】
センサ付ソケット４の双方向スイッチ４２は、制御回路部４４による制御のもと開閉される。双方向スイッチ４２が閉じる（オンする）ことより、ランプ線４１が接続されてランプ電流の経路が閉じ、双方向スイッチ４２が開く（オフする）ことにより、ランプ線４１が切断されてランプ電流の経路が開く。従って、双方向スイッチ４２が閉じると、ランプ線４１が接続され、これにより、器具本体２の点灯回路２１が発振を開始して、放電灯３が点灯される。また、双方向スイッチ４２が開くと、ランプ線４１が切断され、これにより、器具本体２の点灯回路２１が発振を停止して、放電灯３が消灯される。つまり、放電灯３は、双方向スイッチ４２が閉じているときに、点灯状態となり、双方向スイッチ４２が開いているときに、消灯状態となる。
【００２２】
人検知センサ４３は、赤外線によって人を検知するセンサである。人検知センサ４３は、人を検知すると、制御回路部４４に対して、点灯制御情報である検知信号“Ｈ”を出力する。制御回路部４４は、マイコンを有しており、人検知センサ４３の検出出力に基いて、双方向スイッチ４２の開閉を制御し、これにより、ランプ線４１の接続／切断を制御して、放電灯３の点灯、消灯を制御する。
【００２３】
次に、上記照明器具１による放電灯３の点灯制御の動作について説明する。放電灯３の点灯は、以下のようにして行われる。すなわち、放電灯３が消灯されている（双方向スイッチ４２が開いている）とき、人検知センサ４３が人を検知すると、人検知センサ４３から制御回路部４４に対して検知信号“Ｈ”が出力される。制御回路部４４内のマイコンは、人検知センサ４３からの検知信号“Ｈ”に基いて、双方向スイッチ４２に対して点灯制御信号“Ｈ”を出力する。そして、双方向スイッチ４２は、制御回路部４４のマイコンからの点灯制御信号“Ｈ”によって閉じる（オンする）。これにより、ランプ線４１が接続されてランプ電流の経路が閉じ、点灯回路２１が発振を開始して、放電灯３が点灯される。
【００２４】
放電灯３の消灯は、以下のようにして行われる。すなわち、放電灯３が点灯されている（双方向スイッチ４２が閉じている）とき、所定時間経過すると（制御回路部４４内のマイコンが所定時間をカウントアップすると）、制御回路部４４内のマイコンは、双方向スイッチ４２に対して点灯制御信号“Ｌ”を出力する。そして、双方向スイッチ４２は、制御回路部４４のマイコンからの点灯制御信号“Ｌ”によって開く（オフする）。これにより、ランプ線４１が切断されてランプ電流の経路が開き、点灯回路２１が発振を停止して、放電灯３が消灯される。
【００２５】
本実施形態によれば、人検知センサ４３からの検知情報を基にランプ線４１を接続／切断することによって、簡単に放電灯３の点灯、消灯を実現でき、省エネルギー機能を実現できる。しかも、放電灯３の点灯、消灯を司る制御回路部４４、人検知センサ４３、及び双方向スイッチ４２が全てセンサ付ソケット４に備えられているので、センサ付ソケット４をセンサ付でない一般照明器具のソケットに代えて取り付けるだけで、人検知センサ４３からの検知情報に応答して放電灯３が点灯、消灯制御される照明器具１を得ることができる。
【００２６】
＜第２の実施形態＞
図２は、第２の実施形態に係るセンサ付ソケットを備えた照明器具の構成を示す。本実施形態では、器具本体２の点灯回路（段調光対応安定器）２１は、上記第１の実施形態の構成に加え、調光端子２１ａが短絡／開放されることにより、放電灯３を点灯状態／段調光状態に切り替える機能を有している。すなわち、点灯回路２１は、ランプ線４１が接続されている状態において、調光端子２１ａが開放されているときには、放電灯３を点灯させ、調光端子２１ａが短絡されているときには、放電灯３を段調光させる。
【００２７】
また、本実施形態では、センサ付ソケット４は、上記第１の実施形態の構成に加え、調光端子２１ａを短絡／開放するための調光用の双方向スイッチ４６を備えている。調光用の双方向スイッチ４６が閉じる（オンする）ことより、点灯回路２１の調光端子２１ａが短絡され、調光用の双方向スイッチ４６が開く（オフする）ことにより、点灯回路２１の調光端子２１ａが開放される。つまり、放電灯３は、双方向スイッチ４２が閉じているときに、調光用の双方向スイッチ４６が開いていれば点灯状態となり、調光用の双方向スイッチ４６が閉じていれば段調光状態となる。また、放電灯３は、双方向スイッチ４２が開いているときに、消灯状態となる。
【００２８】
さらに、本実施形態では、センサ付ソケット４の制御回路部４４は、上記第１の実施形態の構成に加え、人検知センサ４３の検出出力及び経過時間に基いて、調光用の双方向スイッチ４６の開閉を制御するようになっており、これにより、調光端子２１ａの短絡／開放を制御して、放電灯３を点灯状態と段調光状態とに切り替え制御するようになっている。本実施形態における他の構成については、上記第１の実施形態と同様である。
【００２９】
次に、本実施形態の照明器具１による放電灯３の点灯制御の動作について説明する。放電灯３の段調光は、以下のようにして行われる。すなわち、放電灯３が点灯されている（双方向スイッチ４２が閉じ、調光用の双方向スイッチ４６が開いている）とき、所定時間経過すると（制御回路部４４内のマイコンが所定時間をカウントアップすると）、制御回路部４４内のマイコンは、調光用の双方向スイッチ４６に対して調光制御信号“Ｈ”を出力する。そして、調光用の双方向スイッチ４６は、制御回路部４４のマイコンからの調光制御信号“Ｈ”によって閉じる（オンする）。これにより、ランプ線４１が接続されている状態で、点灯回路２１の調光端子２１ａが短絡され、放電灯３が段調光される。
【００３０】
放電灯３の消灯は、以下のようにして行われる。すなわち、放電灯３が段調光されている（双方向スイッチ４２及び調光用の双方向スイッチ４６が閉じている）とき、所定時間経過すると（制御回路部４４内のマイコンが所定時間をカウントアップすると）、制御回路部４４内のマイコンは、双方向スイッチ４２に対して点灯制御信号“Ｌ”を出力する。そして、双方向スイッチ４２は、制御回路部４４のマイコンからの点灯制御信号“Ｌ”によって開く（オフする）。これにより、ランプ線４１が切断され、放電灯３が消灯される。
【００３１】
放電灯３の点灯は、以下のようにして行われる。すなわち、放電灯３が消灯されている（双方向スイッチ４２が開いている）とき、人検知センサ４３が人を検知すると、人検知センサ４３から制御回路部４４に対して検知信号“Ｈ”が出力される。制御回路部４４内のマイコンは、人検知センサ４３からの検知信号“Ｈ”に基いて、双方向スイッチ４２に対して点灯制御信号“Ｈ”を出力すると共に、調光用の双方向スイッチ４６に対して調光制御信号“Ｌ”を出力する。そして、双方向スイッチ４２は、制御回路部４４のマイコンからの点灯制御信号“Ｈ”によって閉じる（オンする）と共に、調光用の双方向スイッチ４６は、制御回路部４４のマイコンからの調光制御信号“Ｌ”によって開く（オフする）。これにより、ランプ線４１が接続されると共に、点灯回路２１の調光端子２１ａが開放され、放電灯３が点灯される。
【００３２】
また、放電灯３が段調光されている（双方向スイッチ４２及び調光用の双方向スイッチ４６が閉じている）とき、人検知センサ４３が人を検知すると、人検知センサ４３から制御回路部４４に対して検知信号“Ｈ”が出力される。制御回路部４４内のマイコンは、人検知センサ４３からの検知信号“Ｈ”に基いて、調光用の双方向スイッチ４６に対して調光制御信号“Ｌ”を出力する。そして、調光用の双方向スイッチ４６は、制御回路部４４のマイコンからの調光制御信号“Ｌ”によって開く（オフする）。これにより、ランプ線４１が接続されている状態で、点灯回路２１の調光端子２１ａが開放され、放電灯３が点灯される。
【００３３】
本実施形態によれば、放電灯３の段調光を司る調光用の双方向スイッチ４６がセンサ付ソケット４に備えられているので、センサ付ソケット４をセンサ付でない一般照明器具のソケットに代えて取り付けるだけで、放電灯３が点灯状態から段調光状態、消灯状態の２段階に制御される、２段階の省エネルギー機能を有する照明器具１を得ることができる。
【００３４】
＜第３の実施形態＞
図３は、第３の実施形態に係るセンサ付ソケットを備えた照明器具の構成を示す。本実施形態では、センサ付ソケット４は、上記第１の実施形態の電源回路４５に代えて、制御回路部４４に給電する電池４７を備えている。本実施形態における他の構成については、上記第１の実施形態と同様である。電池４７は小型の一次電池でもよいし、二次電池でもよい。本実施形態によれば、制御回路部４４へ給電するための配線が不要となる。
【００３５】
＜第４の実施形態＞
図４は、第４の実施形態に係るセンサ付ソケットを備えた照明器具の構成を示す。本実施形態では、センサ付ソケット４は、上記第１の実施形態の電源回路４５に代えて、制御回路部４４に給電する太陽電池４８を備えている。つまり、本実施形態は、上記第３の実施形態において、電池４７として太陽電池４８を用いたものである。本実施形態における他の構成については、上記第１の実施形態と同様である。太陽電池４８は、受光面がセンサ付ソケット４の表面に露呈されており、放電灯３から放射される光を受光し得る位置に設けられている。本実施形態によれば、制御回路部４４へ給電するための配線が不要となると共に、放電灯３からの漏洩光を太陽電池４８の充電に有効活用でき、電池交換が不要となる。
【００３６】
＜第５の実施形態＞
図５は、第５の実施形態に係るセンサ付ソケットを備えた照明器具の構成を示す。本実施形態では、器具本体２の点灯回路（段調光対応安定器）２１は、上記第１の実施形態の構成に加え、ＰＷＭ信号、ＤＣ電圧、ロジック信号などによる調光制御信号が入力されるようになっており、入力される調光制御信号によって、放電灯３をフル点灯状態／調光状態／消灯状態に切り替える機能を有している。
【００３７】
また、本実施形態では、センサ付ソケット４は、上記第１の実施形態の電源回路４５に代えて、制御回路部４４に給電する電池４７を備えていると共に、上記第１の実施形態の双方向スイッチ４２を備えていない。電池４７は、一次電池、又は、次電池である。そして、本実施形態では、センサ付ソケット４の制御回路部４４は、人検知センサ４３の検出出力及び経過時間に基いて、放電灯３を点灯、調光、消灯させるためのＰＷＭ信号、ＤＣ電圧、ロジック信号などによる調光制御信号を出力するようになっている。本実施形態における他の構成については、上記第１の実施形態と同様である。
【００３８】
制御回路部４４からの調光制御信号は、点灯回路２１に入力され、点灯回路２１は、入力される調光制御信号に応じて、放電灯３をフル点灯状態／調光状態／消灯状態に切り替える。本実施形態によれば、制御回路部４４からの調光制御信号が点灯回路２１に入力されることにより、放電灯３がフル点灯状態、調光状態、消灯状態とに切り替え制御される。
【００３９】
＜第６の実施形態＞
図６は、第６の実施形態に係るセンサ付ソケットを備えた照明器具の構成を示す。本実施形態では、器具本体２の点灯回路（連続調光型安定器）２１は、上記第１の実施形態の構成に加え、ＰＷＭ信号などによる調光制御信号が入力されるようになっており、入力される調光制御信号に応じて放電灯３を連続的に調光する機能を有している。すなわち、点灯回路２１は、入力される調光制御信号に応じて、目標の明るさとなるように放電灯３を調光するようになっている。
【００４０】
また、本実施形態では、センサ付ソケット４は、上記第１の実施形態の人検知センサ４３に代えて、明るさセンサ４９を備えていると共に、上記第１の実施形態の電源回路４５に替えて、制御回路部４４に給電する電池４７を備えており、さらに、上記第１の実施形態の双方向スイッチ４２を備えていない。電池４７は、一次電池、又は、次電池である。そして、本実施形態では、センサ付ソケット４の制御回路部４４は、明るさセンサ４９の検出出力である明るさの検知情報に基いて、明るさセンサ４９の検知した明るさに応じたＰＷＭ信号などによる調光制御信号を出力するようになっている。本実施形態における他の構成については、上記第１の実施形態と同様である。
【００４１】
制御回路部４４からの調光制御信号は、点灯回路２１に入力され、点灯回路２１は、入力される調光制御信号に応じて、目標の明るさとなるように放電灯３を調光する。目標の明るさの設定は、別途リモコンなどで行ってもよいし、明るさセンサ４９が出力する明るさセンサ検知情報を基に演算した結果を用いてもよい。本実施形態によれば、明るさセンサ４９が検知する明るさに応じて放電灯３が目標の明るさとなるように連続的に調光制御される、連続調光型の省エネルギー機能を有する照明器具１を得ることができる。
【００４２】
＜第７の実施形態＞
図７は、第７の実施形態に係るセンサ付ソケットを備えた照明器具の構成を示す。本実施形態では、センサ付ソケット４は、上記第１の実施形態の電源回路４５を備えていない。そして、本実施形態では、センサ付ソケット４の制御回路部４４は、センサ付ソケット４の外部に別途設置される給電部６０から給電されるようになっている。本実施形態における他の構成については、上記第１の実施形態と同様である。給電部６０は、例えば器具本体２の電源端子近傍に設置され、商用電源５からの電圧を抵抗素子を用いて降圧したうえで、制御回路部４４に給電するようになっている。
【００４３】
なお、本発明は、上記各実施形態の構成に限られず、種々の変形が可能である。例えば、ランプ線４１の接続／切断は、双方向スイッチに限られず、例えばトランジスタ等のスイッチング素子により行ってもよい。また、調光端子２１ａの短絡／開放も、双方向スイッチに限られず、例えばトランジスタ等のスイッチング素子により行ってもよい。給電部６０は、商用電源５からの電圧をトランスを用いて降圧したうえで、制御回路部４４に給電するものであってもよい。
【図面の簡単な説明】
【００４４】
【図１】本発明の第１の実施形態に係るセンサ付ソケットを備えた照明器具の電気的ブロック構成図。
【図２】本発明の第２の実施形態に係るセンサ付ソケットを備えた照明器具の電気的ブロック構成図。
【図３】本発明の第３の実施形態に係るセンサ付ソケットを備えた照明器具の電気的ブロック構成図。
【図４】本発明の第４の実施形態に係るセンサ付ソケットを備えた照明器具の電気的ブロック構成図。
【図５】本発明の第５の実施形態に係るセンサ付ソケットを備えた照明器具の電気的ブロック構成図。
【図６】本発明の第６の実施形態に係るセンサ付ソケットを備えた照明器具の電気的ブロック構成図。
【図７】本発明の第７の実施形態に係るセンサ付ソケットを備えた照明器具の電気的ブロック構成図。
【図８】従来の照明器具の電気的ブロック構成図。
【図９】（ａ）は別の従来の照明器具の一部破断した断面図、（ｂ）はその斜視図、（ｃ）はその電気的ブロック構成図。
【図１０】（ａ）はさらに別の従来の照明器具の部分拡大した分解斜視図、（ｂ）はその全体斜視図、（ｃ）はその電気的ブロック構成図。
【符号の説明】
【００４５】
１    照明器具
２    器具本体
３    放電灯（照明用ランプ）
４    センサ付ソケット
５    商用電源
２１    点灯回路
２１ａ    調光端子
４１    ランプ線（給電ライン）
４２    双方向スイッチ
４３    人検知センサ
４４    制御回路部（制御部）
４５    電源回路
４６    調光用の双方向スイッチ
４７    電池
４８    太陽電池
４９    明るさセンサ
６０    給電部
【図１】
2008181769.tif 000003
【図２】
2008181769.tif 000004
【図３】
2008181769.tif 000005
【図４】
2008181769.tif 000006
【図５】
2008181769.tif 000007
【図６】
2008181769.tif 000008
【図７】
2008181769.tif 000009
【図８】
2008181769.tif 000010
【図９】
2008181769.tif 000011
【図１０】
2008181769.tif 000012